(57)【要約】【課題】粉末殺虫剤を長期的に保持させることができ、かつ防虫効果を高めることのできる防虫シートを提供する。【解決手段】粉末殺虫剤を保持させて地面に配置し、地面からの虫の進入を防止する防虫シート１０であって、基板層１１と基板層１１の上下両面に取り付けられた起毛状の粉状体保持層１２，１３とからなり、基板層１１と両面の粉状体保持層１２，１３を上下方向に貫通する粉末殺虫剤の粉末よりも大きな複数の孔１を設け、上方から散布した粉末殺虫剤を、上側の粉状体保持層１２で保持させるとともに、複数の孔１から落下させて下側の粉状体保持層１３で保持させる。【選択図】図１
2007166926.tif 000002
【特許請求の範囲】
【請求項１】
粉末殺虫剤を保持させて地面に配置し、地面からの虫の進入を防止する防虫シートであって、
基板層と前記基板層の上下両面に取り付けられた起毛状の粉状体保持層とからなり、前記基板層と前記両面の粉状体保持層を上下方向に貫通する粉末殺虫剤の粉末よりも大きな複数の孔を設け、
上方から散布した粉末殺虫剤を、上側の粉状体保持層で保持させるとともに、前記複数の孔から落下させて下側の粉状体保持層で保持させることを特徴とする防虫シート。
【請求項２】
前記両面の粉状体保持層の少なくとも一つに溝部を凹設し、前記溝部の凹設部上に前記複数の孔を設けたことを特徴とする請求項１に記載の防虫シート。
【請求項３】
前記両面の粉状体保持層に溝部を凹設し、上側の粉状体保持層に凹設した溝部と下側の粉状体保持層に凹設した溝部を貫通する位置に、前記複数の孔を設けたことを特徴とする請求項２に記載の防虫シート。
【請求項４】
粉末殺虫剤を保持させて地面に配置し、地面からの虫の進入を防止する防虫シートであって、
基板層と前記基板層の上面に取り付けられた起毛状の粉状体保持層とからなり、前記基板層と前記粉状体保持層を上下方向に貫通する粉末殺虫剤の粉末よりも大きな複数の孔を設け、
上方から散布した粉末殺虫剤を、前記粉状体保持層で保持させるとともに、前記複数の孔から落下させることを特徴とする防虫シート。
【請求項５】
粉末殺虫剤を保持させて地面に配置し、地面からの虫の進入を防止する防虫シートであって、
基板層と前記基板層の下面に取り付けられた起毛状の粉状体保持層とからなり、前記基板層と前記粉状体保持層を上下方向に貫通する粉末殺虫剤の粉末よりも大きな複数の孔を設け、
上方から散布した粉末殺虫剤を、前記複数の孔から落下させて前記粉状体保持層で保持させることを特徴とする防虫シート。
【請求項６】
前記基板層及び前記粉状体保持層の少なくとも一つに溝部を凹設し、前記溝部の凹設部上に前記複数の孔を設けたことを特徴とする請求項４又は請求項５に記載の防虫シート。
【請求項７】
前記基板層及び前記粉状体保持層に溝部を凹設し、前記基板層に凹設した溝部と前記粉状体保持層に凹設した溝部を貫通する位置に、前記複数の孔を設けたことを特徴とする請求項６に記載の防虫シート。
【請求項８】
前記基板層は、非透水性であることを特徴とする請求項１乃至請求項７のうちいずれか一つに記載の防虫シート。
【請求項９】
前記基板層及び前記粉状体保持層は、可撓性を有することを特徴とする請求項１乃至請求項８のうちいずれか一つに記載の防虫シート。
【請求項１０】
前記基板層及び前記粉状体保持層を上方から覆うカバーを設けたことを特徴とする請求項１乃至請求項９のうちいずれか一つに記載の防虫シート。
【発明の詳細な説明】
【技術分野】
【０００１】
本発明は、防虫シートに関する。より詳しくは、粉末殺虫剤を使用して防虫対策を行う場合に好適な防虫シートに関する。
【背景技術】
【０００２】
害虫・不快虫による被害が発生する中で、特に最近は、アルゼンチン蟻による被害が急拡大している。このアルゼンチン蟻は、２００５年６月に特定外来生物に指定され、蟻自体に毒はないものの、病原性細菌の運び屋としての一面を持ち、また一つの巣に女王蟻が数十匹もいて繁殖力が非常に強い。さらに、アルゼンチン蟻は、土中だけではなくコンクリートの割れ目や建物の隙間を好むため、家屋への侵入被害が多く発生し、また果樹などの農作物にも被害を及ぼしている。
【０００３】
従来、このようなアルゼンチン蟻等の害虫・不快虫の家屋侵入を防止するためには、図１４に示すように、家屋１００の周りの軒下の地面に、隙間なく粉末殺虫剤２００を撒いて、地面を伝って家屋１００に侵入してくる害虫・不快虫を防いでいた。
【０００４】
一方、特許文献１には、防虫剤を保持させる防虫シートとして、防虫効果を長期間にわたって持続的に与えることができる防虫シートに関する発明が開示されている。
【特許文献１】実開平６−４００１号公報
【発明の開示】
【発明が解決しようとする課題】
【０００５】
しかしながら、従来のように粉末殺虫剤２００を直接地面に撒く場合には、雨で流失したり、風で飛散したりするという問題点があった。家屋１００の周りに撒いた粉末殺虫剤２００が部分的に流失又は飛散してしまうと、蟻がその隙間を見つけて家屋に侵入してくるので、常に隙間が発生しないように、粉末殺虫剤２００を補充しなければならず、手間がかかり粉末殺虫剤２００の使用量も増大してしまう。
【０００６】
また、特許文献１に記載された防虫シートは、液体防虫剤を含浸させて保持させるものであり、液体防虫剤の保持能力には優れていても、粉末殺虫剤を保持させるのには適していない。
【０００７】
そこで本発明は上記従来の課題を解決するためのものであり、粉末殺虫剤を長期的に保持させることができ、かつ防虫効果を高めることのできる防虫シートを提供するものである。
【課題を解決するための手段】
【０００８】
上記従来の課題を解決するために、請求項１に係る発明の防虫シートは、粉末殺虫剤を保持させて地面に配置し、地面からの虫の進入を防止する防虫シート（１０）であって、基板層（１１）と前記基板層（１１）の上下両面に取り付けられた起毛状の粉状体保持層（１２，１３）とからなり、前記基板層（１１）と前記両面の粉状体保持層（１２，１３）を上下方向に貫通する粉末殺虫剤の粉末よりも大きな複数の孔（１）を設け、上方から散布した粉末殺虫剤を、上側の粉状体保持層（１２）で保持させるとともに、前記複数の孔（１）から落下させて下側の粉状体保持層（１３）で保持させることを特徴とする。
なお、粉末殺虫剤には、粒径が極めて小さな粉状のものだけでなく、粒径が少し大きめの顆粒状のものも含まれる。
【０００９】
また、請求項２に係る発明は、請求項１に記載の発明において、前記両面の粉状体保持層（１２，１３）の少なくとも一つに溝部（２，３）を凹設し、前記溝部（２，３）の凹設部上に前記複数の孔（１）を設けたことを特徴とする。
【００１０】
また、請求項３に係る発明は、請求項２に記載の発明において、前記両面の粉状体保持層（１２，１３）に溝部（２，３）を凹設し、上側の粉状体保持層（１２）に凹設した溝部（２）と下側の粉状体保持層（１３）に凹設した溝部（１３）を貫通する位置に、前記複数の孔（１）を設けたことを特徴とする。
【００１１】
また、請求項４に係る発明の防虫シートは、粉末殺虫剤を保持させて地面に配置し、地面からの虫の進入を防止する防虫シート（２０）であって、基板層（２１）と前記基板層（２１）の上面に取り付けられた起毛状の粉状体保持層（２２）とからなり、前記基板層（２１）と前記粉状体保持層（２２）を上下方向に貫通する粉末殺虫剤の粉末よりも大きな複数の孔（１）を設け、上方から散布した粉末殺虫剤を、前記粉状体保持層（２２）で保持させるとともに、前記複数の孔（１）から落下させることを特徴とする。
【００１２】
また、請求項５に係る発明の防虫シートは、粉末殺虫剤を保持させて地面に配置し、地面からの虫の進入を防止する防虫シート（３０）であって、基板層（３１）と前記基板層（３１）の下面に取り付けられた起毛状の粉状体保持層（３２）とからなり、前記基板層（３１）と前記粉状体保持層（３２）を上下方向に貫通する粉末殺虫剤の粉末よりも大きな複数の孔（１）を設け、上方から散布した粉末殺虫剤を、前記複数の孔（１）から落下させて前記粉状体保持層（３２）で保持させることを特徴とする。
【００１３】
また、請求項６に係る発明は、請求項４又は請求項５に記載の発明において、前記基板層（２１，３１）及び前記粉状体保持層（２２，３２）の少なくとも一つに溝部（４，５）を凹設し、前記溝部（４，５）の凹設部上に前記複数の孔（１）を設けたことを特徴とする。
【００１４】
また、請求項７に係る発明は、請求項６に記載の発明において、前記基板層（２１，３１）及び前記粉状体保持層（２２，３２）に溝部（４，５）を凹設し、前記基板層（２１，３１）に凹設した溝部（４）と前記粉状体保持層（２２，３２）に凹設した溝部（５）を貫通する位置に、前記複数の孔（１）を設けたことを特徴とする。
【００１５】
また、請求項８に係る発明は、請求項１乃至請求項７のうちいずれか一つに記載の発明において、前記基板層（１１，２１，３１）は、非透水性であることを特徴とする。
【００１６】
また、請求項９に係る発明は、請求項１乃至請求項８のうちいずれか一つに記載の発明において、前記基板層（１１，２１，３１）及び前記粉状体保持層（１２，１３，２２，３２）は、可撓性を有することを特徴とする。
【００１７】
また、請求項１０に係る発明は、請求項１乃至請求項９のうちいずれか一つに記載の発明において、前記基板層（１１，２１，３１）及び前記粉状体保持層（１２，１３，２２，３２）を上方から覆うカバー（７）を設けたことを特徴とする。
【００１８】
なお、括弧内の記号は、発明を実施するための最良の形態および図面に記載された対応要素または対応事項を示す。
【発明の効果】
【００１９】
請求項１に記載の発明の防虫シートによれば、基板層の上下両面に起毛状の粉状体保持層が取り付けられているので、上方から粉末殺虫剤を散布すると、粉末殺虫剤は起毛状の部分に入り込んで保持される。従って、まず上側の粉状体保持層で粉末殺虫剤を保持させることができる。さらに、基板層と両面の粉状体保持層を上下方向に貫通する粉末殺虫剤の粉末よりも大きな複数の孔を設けているので、複数の孔から粉末殺虫剤を落下させて、下側の粉状体保持層でも粉末殺虫剤を保持させることができる。
これにより、粉末殺虫剤が流失したり飛散したりするのを防止することができ、粉末殺虫剤を長期的に保持させることができる。
【００２０】
また、請求項２に記載の発明によれば、請求項１に記載の発明の作用効果に加えて、上下両面の粉状体保持層の少なくとも一つに溝部を凹設し、溝部の凹設部上に複数の孔を設けるので、粉末殺虫剤を効果的に保持して防虫効果を高めることができる。
上側の粉状体保持層に溝部を凹設して孔を設けた場合には、溝部内に粉末殺虫剤を溜めて粉末殺虫剤の濃厚な層を形成するとともに、孔から下側に十分な量の粉末殺虫剤を落とすことができる。また、上方から溝部内の粉末殺虫剤の保持状況を確認して補充の目安とすることができる。
下側の粉状体保持層に溝部を凹設して孔を設けた場合には、孔から落下した粉末殺虫剤が溝部内に広がるので、溝部内に粉末殺虫剤の濃厚な層を形成することができる。
【００２１】
また、請求項３に記載の発明によれば、請求項２に記載の発明の作用効果に加えて、上下両面の粉状体保持層に溝部を凹設し、上側の粉状体保持層に凹設した溝部と下側の粉状体保持層に凹設した溝部を貫通する位置に複数の孔を設けるので、孔の上下に溝部が形成されることとなる。従って、上側の溝部に溜まった十分な量の粉末殺虫剤を孔から落下させることができるとともに、その落下した十分な量の粉末殺虫剤が下側の溝部に広がることとなり、さらに粉末殺虫剤を効果的に保持して防虫効果を高めることができる。
【００２２】
また、請求項４に記載の発明の防虫シートによれば、基板層の上面に起毛状の粉状体保持層が取り付けられているので、上方から粉末殺虫剤を散布すると、粉末殺虫剤は起毛状の部分に入り込んで保持される。従って、上側の粉状体保持層で粉末殺虫剤を保持させることができる。さらに、基板層と粉状体保持層を上下方向に貫通する粉末殺虫剤の粉末よりも大きな複数の孔を設けているので、複数の孔から粉末殺虫剤を落下させることができる。
これにより、粉末殺虫剤が流失したり飛散したりするのを防止することができ、粉末殺虫剤を長期的に保持させることができる。
【００２３】
また、請求項５に記載の発明の防虫シートによれば、基板層の下面に起毛状の粉状体保持層が取り付けられており、さらに、基板層と粉状体保持層を上下方向に貫通する粉末殺虫剤の粉末よりも大きな複数の孔を設けているので、上方から粉末殺虫剤を散布すると、複数の孔から粉末殺虫剤を落下させることができる。そして、落下した粉末殺虫剤は粉状体保持層の起毛状の部分に入り込んで保持される。
これにより、粉末殺虫剤が流失したり飛散したりするのを防止することができ、粉末殺虫剤を長期的に保持させることができる。
【００２４】
また、請求項６に記載の発明によれば、請求項４又は請求項５に記載の発明の作用効果に加えて、基板層及び粉状体保持層の少なくとも一つに溝部を凹設し、溝部の凹設部上に複数の孔を設けるので、粉末殺虫剤を効果的に保持して防虫効果を高めることができる。
上側の粉状体保持層又は基板層に溝部を凹設して孔を設けた場合には、溝部内に粉末殺虫剤を溜めて粉末殺虫剤の濃厚な層を形成するとともに、孔から下側に十分な量の粉末殺虫剤を落とすことができる。また、上方から溝部内の粉末殺虫剤の保持状況を確認して補充の目安とすることができる。
下側の基板層又は粉状体保持層に溝部を凹設して孔を設けた場合には、孔から落下した粉末殺虫剤が溝部内に広がるので、溝部内に粉末殺虫剤の濃厚な層を形成することができる。
【００２５】
また、請求項７に記載の発明によれば、請求項６に記載の発明の作用効果に加えて、基板層及び粉状体保持層に溝部を凹設し、上側の粉状体保持層又は基板層に凹設した溝部と下側の基板層又は粉状体保持層に凹設した溝部を貫通する位置に複数の孔を設けるので、孔の上下に溝部が形成されることとなる。従って、上側の溝部に溜まった十分な量の粉末殺虫剤を孔から落下させることができるとともに、その落下した十分な量の粉末殺虫剤が下側の溝部に広がることとなり、さらに粉末殺虫剤を効果的に保持して防虫効果を高めることができる。
【００２６】
また、請求項８に記載の発明によれば、請求項１乃至請求項７のうちいずれか一つに記載の発明の作用効果に加えて、基板層が非透水性であるので、雨水等が上側から下側に向けて染み込み、下側の粉末殺虫剤が濡れて凝固してしまうのを防止することができる。また、霜等の水分が下側から上側に向けて染み込み、上側の粉末殺虫剤が濡れて凝固してしまうのを防止することができる。
【００２７】
また、請求項９に記載の発明によれば、請求項１乃至請求項８のうちいずれか一つに記載の発明の作用効果に加えて、基板層及び粉状体保持層が可撓性を有するので、地面に多少の凹凸があっても、地面との間に隙間を発生させることなく設置することができ、隙間から虫の侵入を許してしまうことがない。
【００２８】
また、請求項１０に記載の発明によれば、請求項１乃至請求項９のうちいずれか一つに記載の発明の作用効果に加えて、基板層及び粉状体保持層を上方から覆うカバーを設けるので、粉末殺虫剤を雨風から守ることができる。
【発明を実施するための最良の形態】
【００２９】
次に、図１乃至図７を参照して、本発明の実施形態１に係る防虫シートについて説明する。なお、以下において、粉末殺虫剤には、粒径が極めて小さな粉状のものだけでなく、粒径が少し大きめの顆粒状のものも含まれる。
図１は、実施形態１に係る防虫シート１０の正面図である。図１に示すように、防虫シート１０は、基板層１１と基板層１１の上下両面に取り付けられた粉状体保持層１２，１３から構成されている。
基板層１１の厚さや材質は特に限定されないが、上面と下面の間の水分の染み込みを防止する観点から、非透水性の部材を用いることが好ましい。
粉状体保持層１２，１３は、起毛状であり表面に多数の毛が起立した状態となっており、粉末殺虫剤が散布された場合に、その起毛状の部分に粉末殺虫剤が入り込み保持されるようになっている。このような起毛状の粉状体保持層１２，１３としては人工芝が適しているが、これに限らず、例えば、フェルト、綿、不織布、スポンジなどを用いて、起毛状にしてもよい。
基板層１１と粉状体保持層１２，１３は、いずれも凹凸面に隙間なく設置可能なように、可撓性を有することが好ましい。
【００３０】
図２は防虫シート１０の平面図であり、図３は防虫シート１０の側面図である。また防虫シート１０の底面図は、図２の平面図と同一にあらわれる。図２の括弧内の符号は底面図の場合の符号を示している。
図２に示すように、防虫シート１０は左右方向に横長な形状であり、複数の孔１が設けられている。孔１は、基板層１１と両面の粉状体保持層１２，１３を上下方向に貫通するように設けられている。また、孔１の大きさは、粉末殺虫剤が通過可能なように、粉末殺虫剤の粉末よりも大きくなっている。
【００３１】
また、上側の粉状体保持層１２には、溝部２が凹設されている。溝部２は、防虫シート１０の長手方向に沿って２本設けられており、溝部２の凹設部上には孔１が位置している。なお、溝部２の数や方向は特に限定されておらず、例えば防虫シート１０の幅方向に設けてもよい。また、孔１は、溝部２の凹設部上に位置するものもあれば、溝部２以外の部分に位置するものもある。
【００３２】
同様に、下側の粉状体保持層１３には、溝部３が凹設されている。図３に示すように溝部３は、上面に設けられた溝部２に対応する位置に設けられている。従って、溝部２と溝部３を貫通する位置に、孔１が設けられている。
なお、上側の粉状体保持層１２に凹設する溝部２と、下側の粉状体保持層１３に凹設する溝部３は、必ずしも対応する位置に設ける必要はない。さらに、上側の粉状体保持層１２と下側の粉状体保持層１３のいずれか一方のみに溝部を設けるようにしてもよい。
【００３３】
防虫シート１０には、図４及び図５に示すようなカバーを設けることが好ましい。
図４は、防虫シート１０にカバー７を設けた状態を示す斜視図であり、図５は図４のＡ−Ａ拡大断面図である。なお、図４及び図５では、孔１及び溝部２，３を省略して示している。
カバー７は、防虫シート１０の基板層１１及び上下両面の粉状体保持層１２，１３を上方から覆うように設けられている。カバー７は、設置面の凹凸に対応できるように柔軟性のあるビニール等を用いることが好ましく、また上方から溝部内の粉末殺虫剤の保持状況を確認することができるように、透明な部材を用いるとよい。
【００３４】
図４に示すように、カバー７は、防虫シート１０の長手方向に沿って複数設けられた支持具６により、防虫シート１０から上方に離れて位置するように支えられている。
また、図５に示すように、支持具６は、プラスチック等の棒状部材を防虫シート１０の上から下に差し込んでから３回屈曲させて矩形状の輪を形成した後、その先端を、他端に形成された孔に挿入して固定するようになっている。そしてカバー７は、一端が基板層１１の側面に接合されて、支持部材６に沿って屈曲されるとともに、他端が支持部材６の先端を巻き込むようにして固定されている。
【００３５】
なお、害虫・不快虫が、支持部材６やカバー７を伝って侵入しないように、カバー７の開口部（図５における左側）が虫の侵入側（家屋と反対側）を向くように設置するとよい。
さらに、カバー７に溜まった水滴の水切れを良くするために、カバー７を傾斜させることが好ましい。この場合、水滴が地面に落ちた後、防虫シート１０の下面に流れ込むと、防虫シート１０の下側の粉末殺虫剤を凝固させてしまう恐れがあるので、カバー７に溜まった水滴が設置面のうち地面の低い側へ落ちるように傾斜させるとよい。
【００３６】
次に図６及び図７を参照して、防虫シート１０の地面への固定方法について説明する。
図６は、土等の柔らかい地面３００に防虫シート１０を固定する様子を示す断面図である。柔らかい地面３００の場合には、ペグ８ａを防虫シート１０に貫通させ地面３００に打ち付けて固定すればよい。このとき、釘でも固定することができるが、Ｌ字形またはコ字形のペグ状のもののほうが、防虫シート１０を地面３００により広い面で押し付けることができるので、地面との隙間が生じず好ましい。
【００３７】
また、図７は、コンクリートやアスファルト等の固い地面４００に防虫シート１０を固定する様子を示す断面図である。固い地面４００の場合には、プラスチック板８ｂの裏面に両面テープ８ｃを接着するとともに、孔を２ヶ所開けて針金８ｄを通す。そして、針金８ｄの両端を防虫シート１０にそれぞれ貫通させてから結束する。最後に、両面テープ８ｃの下面を地面４００に接着して固定する。
なお、地面４００の多少の凹凸にも対応できるよう、プラスチック板８０は可撓性を有することが好ましい。
【００３８】
防虫シート１０により防虫対策を行う場合、まず家屋の周囲を取り囲むように、防虫シート１０を隙間なく地面に設置する。このように、家屋を防虫シート１０で取り囲むことにより、粉末殺虫剤を地面に直接撒くのと比べて、家屋の美観を損なうことがない。
次に、防虫シート１０の上方から粉末殺虫剤を散布して、シート内に粉末殺虫剤を保持させる。このとき、孔１から粉末殺虫剤が落下するように、シートを多少揺するとよい。
設置後は、粉末殺虫剤の保持状況を確認して、適宜補充を行う。また、劣化した粉末殺虫剤は水で洗い流せばよい。
なお、防虫シート１０は、害虫・不快虫の家屋侵入だけでなく、果樹の周りなどに設置することにより、農作物の保護のためにも使用できる。
【００３９】
実施形態１に係る防虫シート１０によれば、基板層１１の上下両面に起毛状の粉状体保持層１２，１３が取り付けられているので、上方から粉末殺虫剤を散布すると、粉末殺虫剤は起毛状の部分に入り込んで保持される。従って、まず上側の粉状体保持層１２で粉末殺虫剤を保持させることができる。さらに、基板層１１と両面の粉状体保持層１２，１３を上下方向に貫通する粉末殺虫剤の粉末よりも大きな複数の孔１を設けているので、複数の孔１から粉末殺虫剤を落下させて、下側の粉状体保持層１３でも粉末殺虫剤を保持させることができる。
これにより、粉末殺虫剤が流失したり飛散したりするのを防止することができ、粉末殺虫剤を長期的に保持させることができる。
【００４０】
上方から散布された粉末殺虫剤は、上側の粉状体保持層１２、下側の粉状体保持層１３で保持されるとともに、孔１から落下して地面と接するものや、落下しきれずに孔１の中に留まるものなど、防虫シートの１０の上から下までの間に様々な形で保持される。従って、害虫・不快虫の侵入路を隙間なく遮断することができる。
さらに、粉末殺虫剤は、防虫シート１０の中で上下左右に立体的に保持されるため、地面に直接撒くよりも粉末殺虫剤の表面積が増大し、薬剤成分の揮発ガス量を増大させ防虫効果を高めることができる。また、水分による粉末殺虫剤の凝固化も防ぐことができる。
【００４１】
また、上下両面の粉状体保持層１２，１３に溝部２，３を凹設し、溝部２，３の凹設部上に複数の孔１を設けるので、粉末殺虫剤を効果的に保持して防虫効果を高めることができる。
上側の粉状体保持層１２に溝部２を凹設して孔１を設けることにより、溝部２内に粉末殺虫剤を溜めて粉末殺虫剤の濃厚な層を形成するとともに、孔１から下側に十分な量の粉末殺虫剤を落とすことができる。また、上方から溝部２内の粉末殺虫剤の保持状況を確認して補充の目安とすることができる。
下側の粉状体保持層１３に溝部３を凹設して孔１を設けることにより、孔１から落下した粉末殺虫剤が溝部３内に広がるので、溝部３内に粉末殺虫剤の濃厚な層を形成することができる。
【００４２】
さらに、上下両面の粉状体保持層１２，１３に溝部２，３を凹設し、上側の粉状体保持層１２に凹設した溝部２と下側の粉状体保持層１３に凹設した溝部３を貫通する位置に複数の孔１を設けるので、孔１の上下に溝部２，３が形成されることとなる。従って、上側の溝部２に溜まった十分な量の粉末殺虫剤を孔１から落下させることができるとともに、その落下した十分な量の粉末殺虫剤が下側の溝部３に広がることとなり、さらに粉末殺虫剤を効果的に保持して防虫効果を高めることができる。
【００４３】
また、基板層１１を非透水性とすることにより、雨水等が上側から下側に向けて染み込み、下側の粉末殺虫剤が濡れて凝固してしまうのを防止することができる。また、霜等の水分が下側から上側に向けて染み込み、上側の粉末殺虫剤が濡れて凝固してしまうのを防止することができる。
【００４４】
また、基板層１１及び粉状体保持層１２，１３が可撓性を有することにより、地面に多少の凹凸があっても、地面との間に隙間を発生させることなく設置することができ、隙間から虫の侵入を許してしまうことがない。
【００４５】
また、基板層１１及び粉状体保持層１２，１３を上方から覆うカバー７を設けることにより、粉末殺虫剤を雨風から守ることができる。
もちろん、雨風の心配が少ない場所に設置する場合には、カバー７を設けなくてもよい。
【００４６】
また、実施形態１に係る防虫シート１０の効果は以下のように述べることもできる。
すなわち、従来のように粉末殺虫剤を地面に直播きした場合、地面等の水分で平面的に凝固して粉末殺虫剤の表面積は減少してしまう。
これに対して、実施形態１に係る防虫シート１０によれば、図１５の断面図に示すように、起毛状の粉状体保持層１２，１３が粉末殺虫剤を起毛の一本一本に付着・保持するため、地面に直播きされ凝固した粉末殺虫剤の平面的状態に比べ、粉末殺虫剤の表面積を大幅に増大させて薬剤効能を高めることができるのである。
【００４７】
次に、図８乃至図１１を参照して、本発明の実施形態２に係る防虫シートについて説明する。
図８は、実施形態２に係る防虫シート２０の正面図である。図８に示すように、防虫シート２０は、基板層２１と基板層２１の上面に取り付けられた粉状体保持層２２から構成されている。
基板層２１や粉状体保持層２２の材質は、実施形態１に係る防虫シート１０と同様である。
【００４８】
図９は防虫シート２０の平面図であり、図１０は防虫シート２０の底面図である。また図１１は防虫シート２０の側面図である。
図９に示すように、防虫シート２０は左右方向に横長な形状であり、複数の孔１が設けられている。孔１は、基板層２１と粉状体保持層２２を上下方向に貫通するように設けられている。また、孔１の大きさは、粉末殺虫剤が通過可能なように、粉末殺虫剤の粉末よりも大きくなっている。
【００４９】
また、粉状体保持層２２には、溝部５が凹設されている。溝部５は、防虫シート２０の長手方向に沿って３本設けられており、溝部５の凹設部上には孔１が位置している。なお、溝部５の数や方向は特に限定されておらず、例えば防虫シート２０の幅方向に設けてもよい。また、孔１は、溝部５の凹設部上に位置するものもあれば、溝部５以外の部分に位置するものもある。
【００５０】
同様に、基板層２１には、溝部４が凹設されている。図１０に示すように溝部４は、粉状体保持層２２に設けられた溝部５に対応する位置に設けられており、溝部４と溝部５を貫通する位置に、孔１が設けられている。さらに溝部４は、防虫シート２０の幅方向に沿った位置にも設けられており、全体として格子状に形成されている。
なお、粉状体保持層２２に凹設する溝部５と、基板層２１に凹設する溝部４は、必ずしも対応する位置に設ける必要はない。さらに、粉状体保持層２２と基板層２１のいずれか一方のみに溝部を設けるようにしてもよい。
【００５１】
なお、実施形態２においても、実施形態１と同様に基板層２１及び粉状体保持層２２を上方から覆うカバー７を設けてもよい。また、地面への固定方法についても実施形態１と同様である。
【００５２】
実施形態２に係る防虫シート２０によれば、基板層２１の上面に起毛状の粉状体保持層２２が取り付けられているので、上方から粉末殺虫剤を散布すると、粉末殺虫剤は起毛状の部分に入り込んで保持される。従って、上側の粉状体保持層２２で粉末殺虫剤を保持させることができる。さらに、基板層２１と粉状体保持層２２を上下方向に貫通する粉末殺虫剤の粉末よりも大きな複数の孔１を設けているので、複数の孔１から粉末殺虫剤を落下させることができる。これにより、粉末殺虫剤が流失したり飛散したりするのを防止することができ、粉末殺虫剤を長期的に保持させることができる。
【００５３】
また、基板層２１及び粉状体保持層２２に溝部４，５を凹設し、溝部４，５の凹設部上に複数の孔１を設けるので、粉末殺虫剤を効果的に保持して防虫効果を高めることができる。
上側の粉状体保持層２２に溝部５を凹設して孔１を設けることにより、溝部５内に粉末殺虫剤を溜めて粉末殺虫剤の濃厚な層を形成するとともに、孔１から下側に十分な量の粉末殺虫剤を落とすことができる。また、上方から溝部５内の粉末殺虫剤の保持状況を確認して補充の目安とすることができる。
下側の基板層２１に溝部４を凹設して孔１を設けることにより、孔１から落下した粉末殺虫剤が溝部４内に広がるので、溝部４内に粉末殺虫剤の濃厚な層を形成することができる。
【００５４】
さらに、基板層２１及び粉状体保持層２２に溝部４，５を凹設し、上側の粉状体保持層２２に凹設した溝部５と下側の基板層２１に凹設した溝部４を貫通する位置に複数の孔１を設けるので、孔１の上下に溝部４，５が形成されることとなる。従って、上側の溝部５に溜まった十分な量の粉末殺虫剤を孔１から落下させることができるとともに、その落下した十分な量の粉末殺虫剤が下側の溝部４に広がることとなり、さらに粉末殺虫剤を効果的に保持して防虫効果を高めることができる。
【００５５】
次に、図１２及び図１３を参照して、本発明の実施形態３に係る防虫シートについて説明する。
図１２は、実施形態３に係る防虫シート３０の正面図である。図１２に示すように、防虫シート３０は、基板層３１と基板層３１の下面に取り付けられた粉状体保持層３２から構成されている。
基板層３１や粉状体保持層３２の材質は、実施形態１に係る防虫シート１０と同様である。また、防虫シート３０には、実施形態２に係る防虫シート２０と同様に、基板層３１と粉状体保持層３２を上下方向に貫通するように粉末殺虫剤の粉末よりも大きな複数の孔１が設けられている。
【００５６】
実施形態３に係る防虫シート３０によれば、基板層３１の下面に起毛状の粉状体保持層３２が取り付けられており、さらに、基板層３１と粉状体保持層３２を上下方向に貫通する粉末殺虫剤の粉末よりも大きな複数の孔１を設けているので、上方から粉末殺虫剤を散布すると、複数の孔１から粉末殺虫剤を落下させることができる。そして、落下した粉末殺虫剤は粉状体保持層３２の起毛状の部分に入り込んで保持される。
これにより、粉末殺虫剤が流失したり飛散したりするのを防止することができ、粉末殺虫剤を長期的に保持させることができる。
【００５７】
なお、実施形態３においても、実施形態２と同様に、基板層３１及び粉状体保持層３２の両方、又はいずれか一方に溝部を設けてもよい。その場合、実施形態２における効果と同様の効果を得ることができる。
また、実施形態３においても、実施形態１と同様に基板層３１及び粉状体保持層３２を上方から覆うカバー７を設けてもよい。また、地面への固定方法についても実施形態１と同様である。
ただし、図１３の断面図に示すように、防虫シート３０を二つ折り状態にして支持具９で支持するようにしてもよい。このようにすれば、カバー７を設けずに粉末殺虫剤を雨風から守ることができる。
【図面の簡単な説明】
【００５８】
【図１】本発明の実施形態１に係る防虫シートの正面図である。
【図２】実施形態１に係る防虫シートの平面図である。
【図３】実施形態１に係る防虫シートの側面図である。
【図４】実施形態１に係る防虫シートにカバーを設けた状態を示す斜視図である。
【図５】図４のＡ−Ａ拡大断面図である。
【図６】実施形態１に係る防虫シートの固定方法を示す断面図である。
【図７】実施形態１に係る防虫シートの固定方法を示す断面図である。
【図８】実施形態２に係る防虫シートの正面図である。
【図９】実施形態２に係る防虫シートの平面図である。
【図１０】実施形態２に係る防虫シートの底面図である。
【図１１】実施形態２に係る防虫シートの側面図である。
【図１２】実施形態３に係る防虫シートの正面図である。
【図１３】実施形態３に係る防虫シートの設置状態を示す断面図である。
【図１４】従来例に係る粉末殺虫剤の使用状態を示す斜視図である。
【図１５】実施形態１に係る防虫シートで粉末殺虫剤を保持した状態を示す断面図である。
【符号の説明】
【００５９】
１      孔
２      溝部
３      溝部
４      溝部
５      溝部
６      支持具
７      カバー
８ａ    ペグ
８ｂ    プラスチック板
８ｃ    両面テープ
８ｄ    針金
９      支持具
１０      防虫シート
１１      基板層
１２      粉状体保持層
１３      粉状体保持層
２０      防虫シート
２１      基板層
２２      粉状体保持層
３０      防虫シート
３１      基板層
３２      粉状体保持層
１００      家屋
２００      粉末殺虫剤
３００      地面
４００      地面
【図１】
2007166926.tif 000003
【図２】
2007166926.tif 000004
【図３】
2007166926.tif 000005
【図４】
2007166926.tif 000006
【図５】
2007166926.tif 000007
【図６】
2007166926.tif 000008
【図７】
2007166926.tif 000009
【図８】
2007166926.tif 000010
【図９】
2007166926.tif 000011
【図１０】
2007166926.tif 000012
【図１１】
2007166926.tif 000013
【図１２】
2007166926.tif 000014
【図１３】
2007166926.tif 000015
【図１４】
2007166926.tif 000016
【図１５】
2007166926.tif 000017
【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
粉末殺虫剤を保持させて地面に配置し、地面からの虫の進入を防止する防虫シートであって、
基板層と前記基板層の上下両面に取り付けられた起毛状の粉状体保持層とからなり、前記基板層と前記両面の粉状体保持層を上下方向に貫通する複数の孔を設け、
上方から散布した粉末殺虫剤を、上側の粉状体保持層で保持させるとともに、前記複数の孔から落下させて下側の粉状体保持層で保持させ、
前記両面の粉状体保持層の少なくとも一つに溝部を凹設し、前記溝部の凹設部上に前記複数の孔を設けたことを特徴とする防虫シート。
【請求項２】
前記両面の粉状体保持層に溝部を凹設し、上側の粉状体保持層に凹設した溝部と下側の粉状体保持層に凹設した溝部を貫通する位置に、前記複数の孔を設けたことを特徴とする請求項１に記載の防虫シート。
【請求項３】
粉末殺虫剤を保持させて地面に配置し、地面からの虫の進入を防止する防虫シートであって、
基板層と前記基板層の上面に取り付けられた起毛状の粉状体保持層とからなり、前記基板層と前記粉状体保持層を上下方向に貫通する複数の孔を設け、
上方から散布した粉末殺虫剤を、前記粉状体保持層で保持させるとともに、前記複数の孔から落下させ、
前記基板層及び前記粉状体保持層の少なくとも一つに溝部を凹設し、前記溝部の凹設部上に前記複数の孔を設けたことを特徴とする防虫シート。
【請求項４】
粉末殺虫剤を保持させて地面に配置し、地面からの虫の進入を防止する防虫シートであって、
基板層と前記基板層の下面に取り付けられた起毛状の粉状体保持層とからなり、前記基板層と前記粉状体保持層を上下方向に貫通する複数の孔を設け、
上方から散布した粉末殺虫剤を、前記複数の孔から落下させて前記粉状体保持層で保持させ、
前記基板層及び前記粉状体保持層の少なくとも一つに溝部を凹設し、前記溝部の凹設部上に前記複数の孔を設けたことを特徴とする防虫シート。
【請求項５】
前記基板層及び前記粉状体保持層に溝部を凹設し、前記基板層に凹設した溝部と前記粉状体保持層に凹設した溝部を貫通する位置に、前記複数の孔を設けたことを特徴とする請求項３又は４に記載の防虫シート。
【手続補正２】
【補正対象書類名】明細書
【補正対象項目名】０００８
【補正方法】変更
【補正の内容】
【０００８】
上記従来の課題を解決するために、請求項１に係る発明の防虫シートは、粉末殺虫剤を保持させて地面に配置し、地面からの虫の進入を防止する防虫シート（１０）であって、基板層（１１）と前記基板層（１１）の上下両面に取り付けられた起毛状の粉状体保持層（１２，１３）とからなり、前記基板層（１１）と前記両面の粉状体保持層（１２，１３）を上下方向に貫通する複数の孔（１）を設け、上方から散布した粉末殺虫剤を、上側の粉状体保持層（１２）で保持させるとともに、前記複数の孔（１）から落下させて下側の粉状体保持層（１３）で保持させ、前記両面の粉状体保持層（１２，１３）の少なくとも一つに溝部（２，３）を凹設し、前記溝部（２，３）の凹設部上に前記複数の孔（１）を設けたことを特徴とする。
なお、粉末殺虫剤には、粒径が極めて小さな粉状のものだけでなく、粒径が少し大きめの顆粒状のものも含まれる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、請求項２に係る発明は、請求項１に記載の発明において、前記両面の粉状体保持層（１２，１３）に溝部（２，３）を凹設し、上側の粉状体保持層（１２）に凹設した溝部（２）と下側の粉状体保持層（１３）に凹設した溝部（１３）を貫通する位置に、前記複数の孔（１）を設けたことを特徴とする。
【手続補正５】
【補正対象書類名】明細書
【補正対象項目名】００１１
【補正方法】変更
【補正の内容】
【００１１】
また、請求項３に係る発明の防虫シートは、粉末殺虫剤を保持させて地面に配置し、地面からの虫の進入を防止する防虫シート（２０）であって、基板層（２１）と前記基板層（２１）の上面に取り付けられた起毛状の粉状体保持層（２２）とからなり、前記基板層（２１）と前記粉状体保持層（２２）を上下方向に貫通する複数の孔（１）を設け、上方から散布した粉末殺虫剤を、前記粉状体保持層（２２）で保持させるとともに、前記複数の孔（１）から落下させ、前記基板層（２１）及び前記粉状体保持層（２２）の少なくとも一つに溝部（４，５）を凹設し、前記溝部（４，５）の凹設部上に前記複数の孔（１）を設けたことを特徴とする。
【手続補正６】
【補正対象書類名】明細書
【補正対象項目名】００１２
【補正方法】変更
【補正の内容】
【００１２】
また、請求項４に係る発明の防虫シートは、粉末殺虫剤を保持させて地面に配置し、地面からの虫の進入を防止する防虫シート（３０）であって、基板層（３１）と前記基板層（３１）の下面に取り付けられた起毛状の粉状体保持層（３２）とからなり、前記基板層（３１）と前記粉状体保持層（３２）を上下方向に貫通する複数の孔（１）を設け、上方から散布した粉末殺虫剤を、前記複数の孔（１）から落下させて前記粉状体保持層（３２）で保持させ、前記基板層（３１）及び前記粉状体保持層（３２）の少なくとも一つに溝部（４，５）を凹設し、前記溝部（４，５）の凹設部上に前記複数の孔（１）を設けたことを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
また、請求項５に係る発明は、請求項３又は４に記載の発明において、前記基板層（２１，３１）及び前記粉状体保持層（２２，３２）に溝部（４，５）を凹設し、前記基板層（２１，３１）に凹設した溝部（４）と前記粉状体保持層（２２，３２）に凹設した溝部（５）を貫通する位置に、前記複数の孔（１）を設けたことを特徴とする。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１９
【補正方法】変更
【補正の内容】
【００１９】
請求項１に記載の発明の防虫シートによれば、基板層の上下両面に起毛状の粉状体保持層が取り付けられているので、上方から粉末殺虫剤を散布すると、粉末殺虫剤は起毛状の部分に入り込んで保持される。従って、まず上側の粉状体保持層で粉末殺虫剤を保持させることができる。さらに、基板層と両面の粉状体保持層を上下方向に貫通する複数の孔を設けているので、複数の孔から粉末殺虫剤を落下させて、下側の粉状体保持層でも粉末殺虫剤を保持させることができる。
これにより、粉末殺虫剤が流失したり飛散したりするのを防止することができ、粉末殺虫剤を長期的に保持させることができる。
【手続補正１３】
【補正対象書類名】明細書
【補正対象項目名】００２０
【補正方法】変更
【補正の内容】
【００２０】
また、上下両面の粉状体保持層の少なくとも一つに溝部を凹設し、溝部の凹設部上に複数の孔を設けるので、粉末殺虫剤を効果的に保持して防虫効果を高めることができる。
上側の粉状体保持層に溝部を凹設して孔を設けた場合には、溝部内に粉末殺虫剤を溜めて粉末殺虫剤の濃厚な層を形成するとともに、孔から下側に十分な量の粉末殺虫剤を落とすことができる。また、上方から溝部内の粉末殺虫剤の保持状況を確認して補充の目安とすることができる。
下側の粉状体保持層に溝部を凹設して孔を設けた場合には、孔から落下した粉末殺虫剤が溝部内に広がるので、溝部内に粉末殺虫剤の濃厚な層を形成することができる。
【手続補正１４】
【補正対象書類名】明細書
【補正対象項目名】００２１
【補正方法】変更
【補正の内容】
【００２１】
また、請求項２に記載の発明によれば、請求項１に記載の発明の作用効果に加えて、上下両面の粉状体保持層に溝部を凹設し、上側の粉状体保持層に凹設した溝部と下側の粉状体保持層に凹設した溝部を貫通する位置に複数の孔を設けるので、孔の上下に溝部が形成されることとなる。従って、上側の溝部に溜まった十分な量の粉末殺虫剤を孔から落下させることができるとともに、その落下した十分な量の粉末殺虫剤が下側の溝部に広がることとなり、さらに粉末殺虫剤を効果的に保持して防虫効果を高めることができる。
【手続補正１５】
【補正対象書類名】明細書
【補正対象項目名】００２２
【補正方法】変更
【補正の内容】
【００２２】
また、請求項３に記載の発明の防虫シートによれば、基板層の上面に起毛状の粉状体保持層が取り付けられているので、上方から粉末殺虫剤を散布すると、粉末殺虫剤は起毛状の部分に入り込んで保持される。従って、上側の粉状体保持層で粉末殺虫剤を保持させることができる。さらに、基板層と粉状体保持層を上下方向に貫通する複数の孔を設けているので、複数の孔から粉末殺虫剤を落下させることができる。
これにより、粉末殺虫剤が流失したり飛散したりするのを防止することができ、粉末殺虫剤を長期的に保持させることができる。
【手続補正１６】
【補正対象書類名】明細書
【補正対象項目名】００２３
【補正方法】変更
【補正の内容】
【００２３】
また、請求項４に記載の発明の防虫シートによれば、基板層の下面に起毛状の粉状体保持層が取り付けられており、さらに、基板層と粉状体保持層を上下方向に貫通する複数の孔を設けているので、上方から粉末殺虫剤を散布すると、複数の孔から粉末殺虫剤を落下させることができる。そして、落下した粉末殺虫剤は粉状体保持層の起毛状の部分に入り込んで保持される。
これにより、粉末殺虫剤が流失したり飛散したりするのを防止することができ、粉末殺虫剤を長期的に保持させることができる。
【手続補正１７】
【補正対象書類名】明細書
【補正対象項目名】００２４
【補正方法】変更
【補正の内容】
【００２４】
また、請求項３又は４に記載の発明によれば、基板層及び粉状体保持層の少なくとも一つに溝部を凹設し、溝部の凹設部上に複数の孔を設けるので、粉末殺虫剤を効果的に保持して防虫効果を高めることができる。
上側の粉状体保持層又は基板層に溝部を凹設して孔を設けた場合には、溝部内に粉末殺虫剤を溜めて粉末殺虫剤の濃厚な層を形成するとともに、孔から下側に十分な量の粉末殺虫剤を落とすことができる。また、上方から溝部内の粉末殺虫剤の保持状況を確認して補充の目安とすることができる。
下側の基板層又は粉状体保持層に溝部を凹設して孔を設けた場合には、孔から落下した粉末殺虫剤が溝部内に広がるので、溝部内に粉末殺虫剤の濃厚な層を形成することができる。
【手続補正１８】
【補正対象書類名】明細書
【補正対象項目名】００２５
【補正方法】変更
【補正の内容】
【００２５】
また、請求項５に記載の発明によれば、請求項３又は４に記載の発明の作用効果に加えて、基板層及び粉状体保持層に溝部を凹設し、上側の粉状体保持層又は基板層に凹設した溝部と下側の基板層又は粉状体保持層に凹設した溝部を貫通する位置に複数の孔を設けるので、孔の上下に溝部が形成されることとなる。従って、上側の溝部に溜まった十分な量の粉末殺虫剤を孔から落下させることができるとともに、その落下した十分な量の粉末殺虫剤が下側の溝部に広がることとなり、さらに粉末殺虫剤を効果的に保持して防虫効果を高めることができる。
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】